(57)【要約】【課題】  回生協調制動から摩擦制動への切替時における車両前後加速度の変動を抑制する。【解決手段】  協調回生制動制御部１は、バッテリの充電状態が燃料電池発電を停止させる第１所定値より低い第２所定値以上の場合に車両が制動状態になった場合、回生制動から摩擦制動に制動状態を切り替える前に、摩擦制動装置であるブレーキに供給する液圧をあらかじめブレーキ準備液圧まで上昇させておくと共に、モータによる回生量を制限するように制御する。この制御のために、協調回生制動制御部１は、ブレーキ準備液圧を演算するブレーキ準備液圧演算部４と、ブレーキ液圧とブレーキによる摩擦制動量との相互変換を演算するブレーキ液圧演算部５と、モータによる回生制動量を演算したりモータによる回生制動量（回生発電量）を制限する回生制動量演算部６とを備えている。【選択図】    図３
2006034034.tif 000002
【特許請求の範囲】
【請求項１】
燃料ガスと酸化剤ガスの供給を受けて発電する燃料電池と、
車両制動時に回生制動な車両駆動モータと、
前記回生制動により発電された回生電力を充電可能なバッテリと、
ブレーキ液圧の制御により摩擦制動量を制御する摩擦制動装置と、
前記車両駆動モータによる回生制動と前記摩擦制動装置による摩擦制動との協調により車両を制動する協調回生制動システムと、
を備えた燃料電池車両の制御装置において、
前記バッテリの充電状態が第１所定値以上の場合、かつ前記車両駆動モータが駆動用電力を必要としない場合に、前記燃料電池の発電を停止させる燃料電池制御部と、
前記バッテリの充電状態が第１所定値より低い第２所定値以上の場合に車両が制動状態になった場合、回生制動から摩擦制動に制動状態を切り替える前に、前記摩擦制動装置に供給する液圧をあらかじめブレーキ準備液圧まで上昇させておくと共に、前記駆動モータによる回生量を制限するように制御する協調回生制動制御部と、
を備えたことを特徴とする燃料電池車両の制御装置。
【請求項２】
前記協調回生制動制御部は、
前記バッテリの充電状態に応じた前記ブレーキ準備液圧の値を予め記憶したブレーキ準備液圧記憶手段を備えたことを特徴とする請求項１記載の燃料電池車両の制御装置。
【発明の詳細な説明】
【技術分野】
【０００１】
本発明は、燃料電池を動力源とする燃料電池車両の制御装置に関する。
【背景技術】
【０００２】
従来よりハイブリッド車両や電動車両においては、駆動用モータによる回生制動装置と、ブレーキロータにブレーキパッドを押圧する摩擦制動装置とを有し、通常時には回生制動及び摩擦制動の協調制動モードにより制動を行い、必要に応じて協調制動モードから摩擦制動による単独制動モードに移行し、単独制動モードから協調制動モードへ復帰するように構成された制動制御装置が知られている。
【０００３】
このような協調制動モードと単独制動モードとを有する制動装置においては、協調制動から摩擦制動に切り替える際に、摩擦材の摩擦特性のずれに起因する実際の摩擦量の誤差や、回生制動と摩擦制動のトルク位相差により、比較的大きい減速度の変動（Ｇ変動）が生じる。この対策として、運転者の制動操作量に基づく基準減速度割合と実際の減速度割合とに基づき摩擦制動の制御量に補正係数を算出し、この補正係数にて摩擦制動の制御量を補正する技術が知られている（例えば、引用文献１）。
【特許文献１】特開２００３−１２７７２１号公報（第５頁、図１）
【発明の開示】
【発明が解決しようとする課題】
【０００４】
しかしながら、回生協調制動から摩擦制動への切替時のＧ変動のメカニズムは、摩擦特性の変動や応答性などによるだけでなく、低車速域での制動液圧システムの制御精度の課題等多岐の条件において存在しており、補正係数による制御量の補正により全ての条件でＧ変動低減を行おうとしても条件の組み合わせや補正係数の組み合わせ数が膨大なものとなり、実際の車両に適用することは困難であるという問題点があった。
【課題を解決するための手段】
【０００５】
本発明は、上記問題点を解決するために、燃料ガスと酸化剤ガスの供給を受けて発電する燃料電池と、車両制動時に回生制動な車両駆動モータと、前記回生制動により発電された回生電力を充電可能なバッテリと、ブレーキ液圧の制御により摩擦制動量を制御する摩擦制動装置と、前記車両駆動モータによる回生制動と前記摩擦制動装置による摩擦制動との協調により車両を制動する協調回生制動システムと、を備えた燃料電池車両の制御装置において、前記バッテリの充電状態が第１所定値以上の場合、かつ前記車両駆動モータが駆動用電力を必要としない場合に、前記燃料電池の発電を停止させる燃料電池制御部と、前記バッテリの充電状態が第１所定値より低い第２所定値以上の場合に車両が制動状態になった場合、回生制動から摩擦制動に制動状態を切り替える前に、前記摩擦制動装置に供給する液圧をあらかじめブレーキ準備液圧まで上昇させておくと共に、前記駆動モータによる回生量を制限するように制御する協調回生制動制御部と、を備えたことを要旨とする。
【発明の効果】
【０００６】
本発明によれば、回生制動と摩擦制動との制動トルクの切替時に摩擦制動トルクの変化幅を少なくすることにより、回生制動と摩擦制動との相互切替時に発生するＧ変動を低減することができるという効果がある。
【発明を実施するための最良の形態】
【０００７】
次に、図面を参照して、本発明の実施の形態を詳細に説明する。
【実施例１】
【０００８】
図１は、本発明に係る燃料電池車両の制御装置を搭載した車両の制御系の構成を示すブロック図であり、図２は、この車両の制動系、駆動系を表す概略構成図である。
【０００９】
まず、図２を参照して、本発明が適用される燃料電池車両の構成を説明する。この燃料電池車両は、車両を駆動するとともに回生制動も行うモータ１２を有し、モータ１２への電力は燃料電池１１および二次電池であるバッテリ１６の少なくとも一方からインバータ１５を介してモータ１２へ供給される。モータ１２の駆動力は、ディファレンシャルギヤ１７を介して駆動輪である前輪ＦＲ、ＦＬに伝達される。
【００１０】
モータ１２は、例えば、交流同期型であり、インバータ１５から供給される３相交流の周波数制御により回転速度が制御される。インバータ１５は、回生制動時に、モータ１２が発生した交流電力を整流してバッテリ１６へ充電、または燃料電池車両内で消費する制御を行う。
【００１１】
一方、各車輪ＦＲ、ＦＬ、ＲＲ、ＲＬには、摩擦制動装置であるブレーキ２３が設置されている。そして、電動液圧ポンプやアキュムレーターからなるブレーキ液圧源２１と、このブレーキ液圧源２１の液圧を基にして各ブレーキ２３に供給する作動液圧を調整する液圧調整部２２を備えている。ブレーキ２３の作動液体であるブレーキ液は、高沸点低圧縮性の液体であるグリコールエーテル系のブレーキフルード等が用いられる。
【００１２】
本発明に係る燃料電池車両の制御装置は、図１に示されるブレーキコンピュータ２０と、走行制御系コンピュータ（ＥＣＵ）１０、さらにモータＥＣＵ１０１、バッテリＥＣＵ１０２、燃料電池ＥＣＵ１０３からなる。
【００１３】
ブレーキ２３を制御するブレーキコンピュータ２０は、ブレーキ液圧源２１と液圧調整部２２を制御するものであり、図示しないブレーキペダルの操作量を検出するブレーキセンサ３０の出力が供給されている。
【００１４】
走行制御系コンピュータ１０は、主として駆動系を制御するものであり、車速Ｖを検出する車速センサ３１、図示しないアクセルペダルの開度を検出するアクセルセンサ３２、車両の前後加速度を検出する前後加速度センサ３３の出力信号が供給されている。また走行系コンピュータ１０は、モータＥＣＵ１０１、バッテリＥＣＵ１０２、燃料電池ＥＣＵ１０３を制御するとともに、ブレーキコンピュータ２０との通信により制御に必要な情報を共有し、走行系コンピュータ１０とブレーキコンピュータ２０とは連係して協調回生制動制御を行う。
【００１５】
モータＥＣＵ１０１は、走行系コンピュータ１０からの駆動量指示に基づいてインバータ１５を制御してモータ１２の駆動量を制御するとともに、ブレーキコンピュータ２０から走行系コンピュータ２０を介した回生制動量の指示に基づいてインバータ１５を制御してモータ１２の回生制動量を制御する。
【００１６】
バッテリＥＣＵ１０２は、バッテリ１６の充電状態（ＳＯＣ）を監視するとともにＳＯＣに基づいてバッテリ１６の充放電を制御する。
【００１７】
また、燃料電池ＥＣＵ１０３は、燃料電池１１の起動、停止及び運転状態を制御している。
【００１８】
次に、この燃料電池車両の制動時の動作について説明する。まず、図示しないブレーキペダルが踏み込まれると、ブレーキペダルの操作量はブレーキセンサ３０からブレーキコンピュータ２０へと供給される。ブレーキコンピュータ２０は、ブレーキペダルの操作量に基づいて運転者が要求する全制動量を算出し、全制動量からモータ１２による回生制動量と、摩擦制動装置である各ブレーキ２３による摩擦制動量を算出する。そして、摩擦制動量に応じたブレーキ液圧を算出し、液圧調整部２２へ指示する。これにより、全制動量がモータ１２による回生制動量とブレーキ２３による摩擦制動量との協調により実現される。
【００１９】
走行制御系コンピュータ１０は、ブレーキコンピュータ２０から回生制動量の指示を受けて、モータＥＣＵ１０１を介してインバータ１５を制御することで、ディファレンシャルギヤ１７を介して接続されている駆動輪ＦＬ、ＦＲの回転力でモータ１２を駆動させることにより発電を行い、得られた電力によりバッテリ１６の充電を行う。この回生制動による発電の際、モータ１２の回転に対する抵抗により車両を制動する制動力が得られる。
【００２０】
図３は、本発明に係る燃料電池車両の制御装置の基本構成を説明する制御ブロック図である。図３において、燃料電池車両の制御装置は、協調回生制動制御部１と、燃料電池制御部２と、モータ制御部３とを備えている。図３の構成要素と図１の構成要素との対応は、協調回生制動制御部１が走行制御系コンピュータ１０及びブレーキコンピュータ２０に相当し、燃料電池制御部２は、燃料電池コンピュータ１０３に相当し、モータ制御部３は、モータＥＣＵ１０１に相当する。
【００２１】
燃料電池制御部２は、バッテリ１６の充電状態（ＳＯＣ）が第１所定値以上の場合、かつ車両駆動モータ（図２の符号１２）が駆動用電力を必要としない場合に、燃料電池１１の発電を停止させるアイドルストップ判定部７を備えている。
【００２２】
協調回生制動制御部１は、バッテリ１６の充電状態が第１所定値より低い第２所定値以上の場合に車両が制動状態になった場合、回生制動から摩擦制動に制動状態を切り替える前に、摩擦制動装置であるブレーキ２３に供給する液圧をあらかじめブレーキ準備液圧まで上昇させておくと共に、モータ１２による回生量を制限するように制御する。この制御のために、協調回生制動制御部１は、ブレーキ準備液圧を演算するブレーキ準備液圧演算部４と、ブレーキ液圧とブレーキ２３による摩擦制動量との相互変換を演算するブレーキ液圧演算部５と、モータ１２による回生制動量を演算したりモータ１２による回生制動量（回生発電量）を制限する回生制動量演算部６とを備えている。
【００２３】
図４は、協調回生制動制御部によるモータ回生制動量とブレーキ液圧の演算内容を説明する詳細制御ブロック図である。協調回生制動制御部は、バッテリのＳＯＣからブレーキ準備液圧を演算するＳＯＣ−ブレーキ準備液圧変換部４１と、ブレーキ液圧からブレーキ２３の摩擦制動量を演算液圧−摩擦制動量変換部４２と、２つの入力から小さい方を選択して出力するセレクトロー４３と、減算器４４と、回生制動量から回生電力を制限したモータ回生制動量を演算する回生電力制限部４５と、減算器４６と、摩擦制動量からブレーキ液圧を演算する摩擦制動量−液圧変換部４７とを備えている。
【００２４】
次に、図４の詳細制御ブロック図に基づいて、協調回生制動制御部の詳細な制御内容を説明する。まず、ＳＯＣ−ブレーキ準備液圧変換部４１により、バッテリ１６のＳＯＣに応じて、回生制動から摩擦制動に切り替える前にブレーキ２３に供給するブレーキ準備液圧を求める。このＳＯＣ−ブレーキ準備液圧変換部４１であらかじめＳＯＣに応じてブレーキ準備液圧を決めておくことが本発明の要点である。
【００２５】
次いで、液圧−摩擦制動力変換部４２により、ブレーキ準備液圧を一旦計算のためにブレーキ２３の制動トルク相当の値に変換する。次いで、セレクトロー４３では、車両の減速度より求められた全制動量（トルク）とブレーキ準備液圧相当の制動トルクとのセレクトローを行う。基本的には、ここで得られたブレーキ準備液圧による制動トルクが、ブレーキ２３が車両に与えるブレーキトルクの最低値になる。
【００２６】
次に、モータの回生トルクとして要求量である回生制動量を求めるため、減算器４４では全制動トルクから、先に求めたセレクトローの結果であるブレーキ準備液圧トルクを差し引く。次にその回生制動量がモータ１２で回生制動可能な最大電力を超えないように、回生電力制限部４５で制限してモータ回生制御量（トルク）指令値を算出する。
【００２７】
次いで、減算器４６で、全制動量からモータ回生制動量を減じて、摩擦制動装置であるブレーキ２３の制動量分担分を演算し、摩擦制動量−液圧変換部４７で、ブレーキ制御液圧に変換して、液圧調整部２２へ出力する。
【００２８】
図５は、協調回生制動制御部（図１の走行制御系コンピュータ１０及びブレーキコンピュータ２０の協調回生制動制御に係る部分）によるモータ回生制動量とブレーキ液圧の演算内容を説明する詳細フローチャートであり、例えば、燃料電池車両の起動後、一定時間毎に呼び出されて実行されるルーチンとする。尚、図５のフローチャートは、図４の詳細制御ブロックの内容をソフトウエア処理した例を示す。
【００２９】
図５において、まず協調回生制動制御部は、ステップ（以下、ステップをＳと略す）１０において、車両状態信号を読み込む。この車両状態信号には、ブレーキセンサ３０によるブレーキペダル踏込量、車速センサ３１による車両速度、アクセルセンサ３２によるアクセルペダル踏込量、前後加速度センサ３３による車両の前後加速度等がある。次いで、協調回生制動制御部は、Ｓ１２において、バッテリＥＣＵ１０２を介してバッテリ１６のＳＯＣを読み込む。
【００３０】
次に、Ｓ１４において、協調回生制動制御部は、ブレーキセンサ３０から読み込んだブレーキペダル踏込量が所定値未満か否かを判定する。ブレーキペダル踏込量が所定値未満であれば、協調回生制動制御部としては、何もせずにリターンする。尚、この所定値は、設定されたブレーキ準備液圧テーブルの最大値に相当する踏込量を設定する。
【００３１】
Ｓ１４の判定で、ブレーキペダル踏込量が所定値以上であれば、Ｓ１６へ進み、協調回生制動制御部は、バッテリのＳＯＣからブレーキ準備液圧を算出する。この算出には、予め記憶した算出式に基づいて算出してもよいし、ＳＯＣとブレーキ準備液圧との関係を示すテーブルを予め記憶装置に記憶しておき、このテーブルを参照して求めてもよい。
【００３２】
次いで、Ｓ１８で協調回生制動制御部は、ブレーキ準備液圧からこの液圧をブレーキ２３に加えた場合の制動トルクである摩擦制動量を算出する。
【００３３】
次いで、Ｓ２０で協調回生制動制御部は、ブレーキペダル踏込量や車速の車両状態から運転者が要求する制動トルクである全制動量を算出し、Ｓ２２で、ブレーキ準備液圧による制動量が全制動量より小さいか否かを判定する。Ｓ２２の判定で、ブレーキ準備液圧による制動量が全制動量より小さくなければ、Ｓ２６へ進む。Ｓ２６では、回生制動量指令値を０として、Ｓ３０へ進む。
【００３４】
Ｓ２２の判定で、ブレーキ準備液圧による制動量が全制動量より小さければ、Ｓ２４へ進む。Ｓ２４では、協調回生制動制御部は、全制動量からブレーキ準備液圧の制動量を減算し、その結果を回生制動量とする。次いでＳ２８で、協調回生制動制御部は、Ｓ２４で求めた回生制動量をモータ１２の最大回生電力で制限した回生制動量指令値を算出する。
【００３５】
ここで、回生電力は、モータ１２における回生トルクとモータの回転速度との積で求められる。モータ１２の回転速度と車両の速度とは、ディファレンシャルギア１７のギア比と駆動輪（図２では、ＦＲとＦＬ）半径により相互に換算可能である。モータ１２の最大回生電力は、例えば一定値やモータの回転速度に応じた値として予め与えられるものである。以上の関係を利用して、回生制動量指令値を算出する。
【００３６】
次いでＳ３０で、協調回生制動制御部は、回生制動量指令値をモータＥＣＵ１０１へ出力する。この回生制動量指令値を受けたモータＥＣＵ１０１は、インバータ１５を制御してモータ１２が回生制動量指令値を実現するように制御する。
【００３７】
次に、協調回生制動制御部は、Ｓ３２で、全制動量から回生制動量指令値を減算して、その結果を摩擦制動量とし、Ｓ３４で、摩擦制動量をブレーキ液圧に変換し、Ｓ３６でブレーキ液圧を液圧調整部２２へ出力する。これによりブレーキ液圧源２１から各ブレーキ２３に供給されるブレーキ液圧が制御される。
【００３８】
次に図６を参照して、本実施例の要点である予めブレーキ２３に与えるブレーキ準備液圧をバッテリ１６のＳＯＣに基づいてどのように設定するかについて説明する。車両制動時に、ブレーキ準備液圧を与えることを開始するＳＯＣは、燃料電池スタックの発電を停止するＳＯＣと、発電を停止した後に発電再開するＳＯＣの間に設定する。これにより、回生によるＳＯＣ上昇した場合に、このブレーキ準備液圧開始ＳＯＣに到達した時点でブレーキの分担が増えてモータ回生トルクが減少し、ＳＯＣ上昇の速度が鈍ることにより、燃料電池の発電の停止が行われるタイミングを後にずらし、発電停止、再開の頻度を低減できる。燃料電池の発電停止による燃費効果はよく知られているが、その発電停止、発電再開にかかるエネルギー消費を考えた場合、発電電力に対する燃料ガス（水素）の消費率は、その発電停止動作及び発電再開動作の間だけをみれば悪化することになり、発電を継続した場合のエネルギー消費との兼ね合いを考慮しておく必要がある。
【００３９】
したがって、このブレーキ準備液圧を加えると判定するＳＯＣの設定には、上記エネルギー消費の兼ね合いを踏まえて行うことで、燃料電池車両の燃費性能向上の効果も奏することが可能である。なお、本発明の主要な目的は、モータによる回生制動状態からブレーキによる摩擦制動状態へ移行する際の制動力分担切替時のＧ変動を低減することであり、その内容について次に説明を行う。
【００４０】
図７は、本実施例１による協調回生制動制御のタイムチャート、図１０は、従来技術による協調回生制動制御のタイムチャートをそれぞれ示す。図７及び図１０において、（ａ）はバッテリのＳＯＣ、（ｂ）は車両の前後加速度Ｇ（減速方向を＋とする）、（ｃ）は回生制動トルク（制動を−とする）、（ｄ）は摩擦制動力を代表するブレーキ液圧、（ｅ）は時間軸上の主なタイミングをそれぞれ示す。
【００４１】
図７において、時刻ｔ０において、ブレーキペダルの踏み込みを検出し回生制動を開始したとする。これによりモータ１２が回生電力を発生し始め、回生電力はバッテリ１６を充電するので、バッテリ１６のＳＯＣは上昇する。バッテリのＳＯＣが上昇して、図６のブレーキ準備液圧開始ＳＯＣに時刻ｔ１で到達したとする。これにより協調回生制動制御部は、各ブレーキ２３へブレーキ準備液圧の供給を開始する。このとき、ブレーキ２３から生じるブレーキ準備液圧に相当する摩擦制動トルク分だけ、従来技術より回生制動トルクが減少されているが全制動トルクとしては、従来と同等である。その後、車両速度の低下等により、回生制動から摩擦制動に制動状態の切替が開始される（時刻ｔ４）。これ以後、ブレーキ液圧が増加されて摩擦制動トルクが増加する一方、回生制動トルクが減少して、時刻ｔ５では、全制動トルクがブレーキ２３による摩擦制動トルクとなる。
【００４２】
ここでのポイントは、図７、図１０におけるモータの回生制動トルクとバッテリのＳＯＣ上昇の度合いである。図１０ではＳＯＣの上昇スピードが高く、発電停止しきい値（アイドルストップＳＯＣ）に到達し、その後、バッテリの充電が不可と判断されて回生制動状態から摩擦制動状態に変化する場合、この瞬間のＧ変動は大きい。
【００４３】
一方で、図７の実施例１では、ブレーキ準備液圧分に相当する制動トルクだけモータの回生制動トルクが少なく、それによってＳＯＣの上昇スピードも鈍い。結果として、回生制動状態から摩擦制動のみに変化する際のブレーキ液圧変化幅は、本発明を適用しない従来技術よりも低減でき、結果としてＧ変動も低減することができている。
【実施例２】
【００４４】
次に本発明に係る燃料電池車両の制御装置の実施例２を説明する。実施例２が適用される燃料電池車両及びその制御装置の全体構成及び制御機能の概要は、図１乃至図５を参照して説明した実施例１と同様である。
【００４５】
実施例２において、実施例１との相違は、バッテリ１６のＳＯＣに応じて予め上昇させておくブレーキ準備液圧をブレーキ準備液圧テーブルに記憶した点にある。
【００４６】
図８は、本実施例２におけるブレーキ準備液圧テーブルの一例を示す図であり、実施例１の図６に代わるものである。このブレーキ準備液圧テーブルは、図４のＳＯＣ−ブレーキ準備液圧変換部４１，または図５のＳ１６におけるＳＯＣからブレーキ準備液圧を算出する過程で参照される。
【００４７】
本実施例のブレーキ準備液圧テーブルは、図８に示すように、発電再開ＳＯＣ（例えば、ＳＯＣ７０％）より大きいあるＳＯＣまでは、ブレーキ準備液圧は０であり、このＳＯＣから発電停止ＳＯＣ（例えば、ＳＯＣ９５％）の直前までは直線的にブレーキ準備液圧が上昇し、これ以上のＳＯＣでは、ブレーキ準備液圧は一定値としている。このブレーキ準備液圧テーブルは、例えば、図１のブレーキコンピュータに記憶しておくものとする。
【００４８】
図９は、本実施例２による協調回生制動制御のタイムチャートであり、（ａ）はバッテリのＳＯＣ、（ｂ）は車両の前後加速度Ｇ（減速方向を＋とする）、（ｃ）は回生制動トルク（制動を−とする）、（ｄ）は摩擦制動力を代表するブレーキ液圧、（ｅ）は時間軸上の主なタイミングをそれぞれ示す。
【００４９】
本実施例２においては、実施例１と同様に、時刻ｔ０で回生制動が開始され、回生電力でバッテリが充電されて、バッテリのＳＯＣが上昇する。そして時刻ｔ１でブレーキ準備液圧供給開始のＳＯＣに到達し、これを検出した協調回生制動制御部は、ブレーキ準備液圧の供給を開始する。これ以後も回生制動によるバッテリの充電が続けられているので、バッテリのＳＯＣが上昇を続ける。
【００５０】
バッテリのＳＯＣが上昇すると、図８のブレーキ準備液圧テーブルからより高いブレーキ準備液圧が読み出されるので、ブレーキ準備液圧は、ＳＯＣの上昇に伴って上昇する。このブレーキ準備液圧の上昇に伴ってブレーキ２３の摩擦制動トルクが増加するので、ブレーキ操作量に変化がなければ、摩擦制動トルクの増加分だけ回生制動トルクが減少される。そして、時刻ｔ４で回生制動を停止して摩擦制動に全面的に切り替える制動切替が開始され、時刻ｔ５で制動切替が終了する。
【００５１】
以上説明した本実施例によれば、回生制動中にブレーキ準備液圧を供給し、摩擦制動装置による制動トルクを与え、かつブレーキ準備液圧をバッテリのＳＯＣ上昇に応じて増加させることができるので、回生制動状態から摩擦制動状態に切り替える際に、制動トルクの変動及びこれに由来する車両の前後加速度の変動を抑制するという効果を奏する。
【図面の簡単な説明】
【００５２】
【図１】本発明に係る燃料電池車両の制御装置を搭載した車両の制御系の構成を示すブロック図である。
【図２】本発明に係る燃料電池車両の制動系、駆動系を示す概略構成図である。
【図３】本発明の実施例１における制御ブロック図である。
【図４】実施例１における詳細制御ブロック図である。
【図５】実施例１における詳細制御フローチャートである。
【図６】実施例１におけるバッテリのＳＯＣに対するブレーキ準備液圧の関係を説明する図である。
【図７】実施例１における協調回生制動の様子を説明するタイムチャートである。
【図８】実施例２におけるバッテリのＳＯＣに対するブレーキ準備液圧の関係を説明する図である。
【図９】実施例２における協調回生制動の様子を説明するタイムチャートである。
【図１０】従来例における協調回生制動時の前後加速度の変動を説明するタイムチャートである。
【符号の説明】
【００５３】
１０…走行制御系コンピュータ、
１１…燃料電池、
１２…モータ、
１５…インバータ、
１６…バッテリ、
１７…ディファレンシャルギヤ、
２０…ブレーキコンピュータ、
２１…ブレーキ液圧源、
２２…液圧調整部、
２３…液圧ブレーキ、
３０…ブレーキセンサ、
３１…車速センサ、
３２…アクセルセンサ、
１０１…モータＥＣＵ、
１０２…バッテリーＥＣＵ、
１０３…燃料電池コンピュータ。
【図１】
2006034034.tif 000003
【図２】
2006034034.tif 000004
【図３】
2006034034.tif 000005
【図４】
2006034034.tif 000006
【図５】
2006034034.tif 000007
【図６】
2006034034.tif 000008
【図７】
2006034034.tif 000009
【図８】
2006034034.tif 000010
【図９】
2006034034.tif 000011
【図１０】
2006034034.tif 000012